(57)【要約】【課題】後方側が壁面に取り付けられる吐水装置であって、下方側に開口する吐水口と、壁面内の給水源からの水を当該吐水口に導くエルボ流路と、を備え、エルボ流路が上下方向に変位することを確実に防止することができる吐水装置を提供すること。【解決手段】本発明は、後方側が壁面に取り付けられる吐水装置であって、下方側に開口する吐水口と、前記壁面内の給水源からの水を止水栓を介して前記吐水口に導く流路と、前記流路の上方側に配置された上プレート部材と、前記流路の下方側に配置された下プレート部材と、を備え、前記流路は、水平方向に延びる水平流路と、当該水平流路と前記吐水口とを接続するエルボ流路と、を有しており、前記エルボ流路は、前記上プレート部材と前記下プレート部材との両方に固定されており、前記下プレート部材には、前記止水栓の少なくとも一部を貫通させるための切欠部が設けられていることを特徴とする吐水装置である。【選択図】図１３
2019112843.tif 000002
【特許請求の範囲】
【請求項１】
後方側が壁面に取り付けられる吐水装置であって、
下方側に開口する吐水口と、
前記壁面内の給水源からの水を止水栓を介して前記吐水口に導く流路と、
前記流路の上方側に配置された上プレート部材と、
前記流路の下方側に配置された下プレート部材と、
を備え、
前記流路は、水平方向に延びる水平流路と、当該水平流路と前記吐水口とを接続するエルボ流路と、を有しており、
前記エルボ流路は、前記上プレート部材と前記下プレート部材との両方に固定されており、
前記下プレート部材には、前記止水栓の少なくとも一部を貫通させるための切欠部が設けられている
ことを特徴とする吐水装置。
【請求項２】
前記流路には、オーバーヘッド用流路が接続されており、
前記下プレート部材の前記切欠部は、前記オーバーヘッド用流路の少なくとも一部をも貫通させている
ことを特徴とする請求項１に記載の吐水装置。
【請求項３】
前記流路内に温調機能部が設けられており、
前記上プレート部材及び前記下プレート部材に、前記温調機能部の少なくとも一部を収納するための凹部が設けられている
ことを特徴とする請求項１または２に記載の吐水装置。
【請求項４】
当該吐水装置を操作するための操作部が設けられており、
前記操作部は、前記下プレート部材の長手方向に見て、前記切欠部と重複しない位置に配置されている
ことを特徴とする請求項１乃至３のいずれかに記載の吐水装置。
【請求項５】
前記吐水口は、前記下プレート部材の長手方向に見て、前記切欠部と重複しない位置に配置されている
ことを特徴とする請求項１乃至４のいずれかに記載の吐水装置。
【請求項６】
前記上プレート部材は、平面視において、前記下プレート部材の前記切欠部と重複する位置に切欠部がない
ことを特徴とする請求項１乃至５のいずれかに記載の吐水装置。
【請求項７】
前記下プレート部材は、当該下プレート部材の長手方向に見て前記操作部の両外側に折り曲げ部を有している
ことを特徴とする請求項４に記載の吐水装置。
【請求項８】
前記下プレート部材は、当該下プレート部材の長手方向に見て前記吐水口の両外側に折り曲げ部を有している
ことを特徴とする請求項１乃至７のいずれかに記載の吐水装置。
【発明の詳細な説明】
【技術分野】
【０００１】
本発明は、後方側が壁面に取り付けられる吐水装置に関する。
【背景技術】
【０００２】
特許文献１には、水栓装置の操作部を金属板で固定する技術が開示されている。具体的には、バルブボデーを樹脂にて構成した場合において給水圧による変位によって漏水等の問題が生じる恐れを解消するべく、バルブボデーを金属製の連結ブラケットに固定して連結し、当該連結ブラケットに変位規制のための当り部を設けておくことが提案されている。
【先行技術文献】
【特許文献】
【０００３】
【特許文献１】特開２０１１−８９２８９号公報
【発明の概要】
【発明が解決しようとする課題】
【０００４】
本件発明者が検証したところ、特許文献１に開示された構成では、当り部による変位規制が十分に機能しないで、給水圧による変位によって漏水等の問題が生じる場合があることが確認された。
【０００５】
具体的には、後方側が壁面に取り付けられる吐水装置であって、下方側に開口するシャワー用吐水口と、壁面内の給水源からの水を当該シャワー吐水口に導くエルボ流路と、を備えた吐水装置においては、シャワー用吐水口からの吐水を瞬時に停止させる時、いわゆるウォーターハンマーと呼ばれる強い力がエルボ流路に作用する。特に、シャワー用吐水口に接続されたシャワーヘッドにクリックシャワー機能が設けられていて、当該機能によって吐水を瞬時に停止させる時、この力はより大きくなることが知られている。
【０００６】
特許文献１に開示された構成では、そのような強い力に十分に対抗することができず、エルボ流路が上下方向に変位してしまって、結果的に漏水等の不具合が発生してしまうことがある。
【０００７】
本発明は、以上のような知見に基づいてなされたものである。本発明の目的は、後方側が壁面に取り付けられる吐水装置であって、下方側に開口する吐水口と、壁面内の給水源からの水を当該吐水口に導くエルボ流路と、を備え、エルボ流路が上下方向に変位することを確実に防止することができる吐水装置を提供することである。
【課題を解決するための手段】
【０００８】
本発明は、後方側が壁面に取り付けられる吐水装置であって、下方側に開口する吐水口と、前記壁面内の給水源からの水を止水栓を介して前記吐水口に導く流路と、前記流路の上方側に配置された上プレート部材と、前記流路の下方側に配置された下プレート部材と、を備え、前記流路は、水平方向に延びる水平流路と、当該水平流路と前記吐水口とを接続するエルボ流路と、を有しており、前記エルボ流路は、前記上プレート部材と前記下プレート部材との両方に固定されており、前記下プレート部材には、前記止水栓の少なくとも一部を貫通させるための切欠部が設けられていることを特徴とする吐水装置である。
【０００９】
本発明による吐水装置では、吐水口からの吐水を瞬時に停止させる時、いわゆるウォーターハンマーと呼ばれる強い力がエルボ流路に作用して、当該エルボ流路が上下方向に変位しようとする。しかしながら、本発明による吐水装置では、エルボ流路が上プレート部材と下プレート部材との両方に固定されていることにより、エルボ流路に作用する力を十分に受容することができる。
【００１０】
また、下プレート部材に、止水栓の少なくとも一部を貫通させるための切欠部が設けられているため、止水栓及び流路の配置位置の設計の自由度を阻害することがない。例えば、薄型の吐水装置を実現することができる。
【００１１】
流路には、オーバーヘッド用流路が接続され得る。この場合、下プレート部材の切欠部は、オーバーヘッド用流路の少なくとも一部をも貫通させていることが好ましい。これによれば、オーバーヘッド用流路が設けられる場合であっても、薄型の吐水装置を実現することができる。
【００１２】
また、流路内には、温調機能部が設けられ得る。温調機能部は、大型の要素部材を含む場合があるため、それらを効果的に収納するべく、上プレート部材及び下プレート部材に、温調機能部の少なくとも一部を収納するための凹部が設けられることが好ましい。
【００１３】
また、当該吐水装置を操作するための操作部が設けられ得る。この場合、操作部は、下プレート部材の長手方向に見て、切欠部と重複しない位置に配置されていることが好ましい。これによれば、操作部は、操作時の力を十分に受けることができる。
【００１４】
また、吐水口は、下プレート部材の長手方向に見て、切欠部と重複しない位置に配置されていることが好ましい。これによれば、例えばウォーターハンマーのような吐水口に作用する力を十分に受容することができる。
【００１５】
また、前記上プレート部材は、平面視において、前記下プレート部材の前記切欠部と重複する位置に切欠部がないことが好ましい。これによれば、下プレート部材の強度が切欠部の存在によって不十分となり得る箇所において、上プレート部材によって効果的に強度補強することができる。更には、上プレート部材は、全面に亘って切欠部がないことが好ましい。
【００１６】
また、前記下プレート部材は、当該下プレート部材の長手方向に見て前記操作部の両外側に折り曲げ部を有していることが好ましい。折り曲げ部を設けることで、下プレート部材は強度を増すことができるため、操作部は、操作時の力を十分に受けることができる。
【００１７】
また、前記下プレート部材は、当該下プレート部材の長手方向に見て前記吐水口の両外側に折り曲げ部を有していることが好ましい。折り曲げ部を設けることで、下プレート部材は強度を増すことができるため、ウォーターハンマーのような吐水口に作用する力を十分に受容することができる。
【発明の効果】
【００１８】
本発明によれば、エルボ流路が上プレート部材と下プレート部材との両方に固定されていることにより、エルボ流路に作用する力を十分に受容することができる。また、下プレート部材に、止水栓の少なくとも一部を貫通させるための切欠部が設けられているため、止水栓及び流路の配置位置の設計の自由度を阻害することがない。例えば、薄型の吐水装置を実現することができる。
【図面の簡単な説明】
【００１９】
【図１】本発明の一実施形態による水栓装置（吐水装置）の斜視図である。
【図２】図１の水栓装置の要部の斜視図である。
【図３】図２の要部の平面図である。
【図４】図２の要部の正面図である。
【図５】図４のＶ−Ｖ線断面矢視図である。
【図６】図１の水栓装置の上プレート部材の斜視図である。
【図７】図６の上プレート部材の平面図である。
【図８】図６の上プレート部材の側面図である。
【図９】図１の水栓装置の下プレート部材の斜視図である。
【図１０】図９の下プレート部材の平面図である。
【図１１】図９の下プレート部材の側面図である。
【図１２】図２の要部の背面図である。
【図１３】図２の要部の底面図である。
【図１４】図３のＸＩＶ−ＸＩＶ線断面矢視図である。
【図１５】図３のＸＶ−ＸＶ線断面矢視図である。
【図１６】図４のＸＶＩ−ＸＶＩ線断面矢視図である。
【発明を実施するための形態】
【００２０】
次に、添付図面を参照して、本発明の一実施形態による水栓装置について説明する。
【００２１】
（構成）
図１乃至図５は、本発明の一実施形態による水栓装置（吐水装置）１の概略図である。図１は、水栓装置１の斜視図であり、図２は、水栓装置１の要部の斜視図であり、図３は、図２の平面図であり、図４は、図２の正面図であり、図５は、図４のＶ−Ｖ線断面矢視図である。
【００２２】
図１に示すように、水栓装置１は、全体として薄型のカウンター形状に構成されており、カバー２の上面は平坦に形成されていて、様々な物を置くことができる。そして、水栓装置１の前面側に、第１オーバーヘッド吐水／オーバーヘッド止水／第２オーバーヘッド吐水の切替操作ハンドル３１、温度調節用の温調ハンドル３２、流量調節用の流調ハンドル３３、が設けられている。更に水栓装置１の前面側に、カラン用の押しボタン機構１０ａ（吐水／止水を切り替える）と、シャワー用の押しボタン機構１０ｂ（吐水／止水を切り替える）と、が設けられている。すなわち、本実施形態の水栓装置１は、薄型のタッチ水栓装置を含んでいて、押しボタン機構１０ａ、１０ｂの押圧方向は前後方向である。
【００２３】
また、図２乃至図５に示すように、水栓装置１は、カラン用吐水口４１と、シャワー用吐水口４２と、給水源からの水を各吐水口４１、４２に導く流路４０ａ、４０ｂと、流路４０ａ、４０ｂの開閉を制御する開閉機構９ａ、９ｂと、を備えている。本実施形態では、給水源からの水とは、水と湯とが混合されることで温調された水である。
【００２４】
特に図５に示すように、当該水栓装置１が取り付けられる壁内の湯供給管（給水源の一例）に袋ナット７ａを介して接続される湯供給管７ｃと、当該壁内の水供給管（給水源の一例）に袋ナット７ｄを介して接続される水供給管７ｆと、に温調機能部７ｇが接続されており、当該温調機能部７ｇによって所望の温度に水と湯とが混合されるようになっている。湯供給管７ｃの途中には、止水栓７ｂが設けられており、水供給管７ｆの途中には、止水栓７ｅが設けられている。温調機能部７ｇは、温度調節用の温調ハンドル３２によって手動で調整されるようになっている。
【００２５】
そして、所望の温度に温調された水（湯と水との混合水）は、流調機能部７ｈに送られるようになっている。流調機能部７ｈは、流量調節用の流調ハンドル３３によって手動で調整されるようになっている。そして、所望の流量に流調された水（湯と水との混合水）が、流路４０ａ、４０ｂに送られるようになっている。
【００２６】
本実施形態では、所望の温度に温調された水（湯と水との混合水）は、オーバーヘッド吐水切替部８ａにも送られるようになっている。オーバーヘッド吐水切替部８ａは、切替操作ハンドル３１によって手動で切り替えられるようになっている。オーバーヘッド吐水切替部８ａからは、第１オーバーヘッド吐水部に至る配管８ｂ（オーバーヘッド用流路）が、袋ナット８ｃを介して壁面内の配管へと延びており、第２オーバーヘッド吐水部に至る配管８ｄ（オーバーヘッド用流路）が、袋ナット８ｅを介して壁面内の配管へと延びている。
【００２７】
押しボタン機構１０ａ、１０ｂは、開閉機構９ａ、９ｂをそれぞれ作動させるように構成乃至配置されている。シャワー用吐水口４２は、シャワーホース４３を介してシャワーヘッド４４に接続されている（図１参照）。
【００２８】
図２乃至図５に示すように、湯供給管７ｃ、水供給管７ｆ、温調機能部７ｇ、流調機能部７ｈ、オーバーヘッド吐水切替部８ａ、配管８ｂ、８ｄ、流路４０ａ、４０ｂ、及び、開閉機構９ａ、９ｂは、上プレート部材５０と下プレート部材６０とによって上下方向に挟まれている。各プレート部材５０、６０は、例えばステンレス鋼（ＳＵＳ４４３Ｊ１、ＳＵＳ３０４等）からなっている。
【００２９】
図６は、上プレート部材５０の斜視図であり、図７は、上プレート部材５０の平面図であり、図８は、上プレート部材５０の側面図である。図６乃至図８に示すように、本実施形態の上プレート部材５０は、平面視で略長方形状である。略長方形状というのは、部分的に欠けた箇所を含み得るという意味である。
【００３０】
図６乃至図８に示すように、本実施形態の上プレート部材５０は、後述するエルボ流路４０ｅ（図１５参照）よりも後方側（壁面側）において、２つの屈曲部５１ａ、５１ｂからなる硬化部５１を有しており、当該硬化部５１は、上プレート部材５０の長手方向（図６の左右方向）に沿って形成されている。２つの屈曲部５１ａ、５１ｂは、水平方向から下方側へ屈曲する第１屈曲部５１ａと、当該第１屈曲部５１ａから水平方向に戻るように屈曲する第２屈曲部５１ｂである。
【００３１】
また、図６乃至図８に示すように、本実施形態の上プレート部材５０は、温調機能部７ｇの上部を収納するための凹部５２が設けられている。そして、硬化部５１の延在方向と凹部５２の延在方向とが交差する領域に、逃がし部５３が設けられている。逃がし部５３は、上プレート部材５０に孔を打ち抜くことで形成されている。この逃がし部５３の存在によって、硬化部５１の加工と凹部５２の加工とが干渉することがないため、上プレート部材５０を容易に製造（成形）することができる。
【００３２】
更に、図６乃至図８に示すように、本実施形態の上プレート部材５０は、後方側（壁面側）端縁に下向きに折り曲げられた折り曲げ部５４を有している。
【００３３】
一方、図９は、下プレート部材６０の斜視図であり、図１０は、下プレート部材６０の平面図であり、図１１は、下プレート部材６０の側面図である。図９乃至図１１に示すように、本実施形態の下プレート部材６０は、平面視で略長方形状である。ここでも、略長方形状というのは、部分的に欠けた箇所を含み得るという意味である。また、図９乃至図１１に示すように、本実施形態の下プレート部材６０は、温調機能部７ｇの下部を収納するための凹部６２が設けられている。
【００３４】
更に、図１２は、図２に示した水栓装置１の要部の背面図であり、図１３は、当該要部の底面図である。図１２及び図１３に示すように、本実施形態の下プレート部材６０には、止水栓７ｂ、７ｅを貫通させるための切欠部６３が設けられている。また、図１２及び図１３に示すように、本実施形態の切欠部６３は、第１オーバーヘッド吐水部に至る配管８ｂ（オーバーヘッド用流路）と第２オーバーヘッド吐水部に至る配管８ｄ（オーバーヘッド用流路）をも貫通させている。
【００３５】
また、図１２及び図１３から分かるように、押しボタン機構１０ａ、１０ｂ（操作部）及び吐水口４１、４２は、下プレート部材６０の長手方向に見て、切欠部６３と重複しない位置に配置されている。
【００３６】
また、図５及び図９乃至図１１に示すように、下プレート部材６０は、当該下プレート部材６０の長手方向に見て押しボタン機構１０ａ、１０ｂ（操作部）及び吐水口４１、４２の両外側に、上向きに折り曲げられた折り曲げ部６５、６６を有している。そして、図５に示すように、押しボタン機構１０ａ、１０ｂの固定部材が、当該折り曲げ部６５、６６に固定されている。折り曲げ部６５、６６を設けることで、下プレート部材６０は強度を増しているため、押しボタン機構１０ａ、１０ｂ（の固定部材）は操作時の力を十分に受けることができる。
【００３７】
更に、図９乃至図１１に示すように、本実施形態の下プレート部材５０は、後方側（壁面側）端縁に上向きに折り曲げられた折り曲げ部６４を有している。
【００３８】
その他、図１４は、図３のＸＩＶ−ＸＩＶ線断面矢視図である。図１４により、温調機能部７ｇの上部及び下部が凹部５２、６２によって収納されている様子が分かる。また、図１５は、図３のＸＶ−ＸＶ線断面矢視図である。図１５により、エルボ流路４０ｅが上プレート部材５０と下プレート部材６０とによって上下方向に挟まれて支持されている様子が分かる。また、図１６は、図４のＸＶＩ−ＸＶＩ線断面矢視図である。図１６により、硬化部５１が止水栓の７ｂ、７ｅの前端縁よりも後方側に位置している様子が分かる。
【００３９】
また、図６乃至図１１に示すように、上プレート部材５０は、平面視において、下プレート部材６０の切欠部６３と重複する位置に切欠部がない。
【００４０】
（作用効果）
以上のような本実施形態による水栓装置１（吐水装置）では、吐水口４１、４２からの吐水を瞬時に停止させる時、いわゆるウォーターハンマーと呼ばれる強い力がエルボ流路４６ｅに作用して、当該エルボ流路４６ｅが上下方向に変位しようとする。しかしながら、本実施形態による水栓装置１では、エルボ流路４６ｅの上方側に配置された上プレート部材５０が屈曲部５１ａ、５１ｂからなる硬化部５１を有していることにより、エルボ流路４６ｅに作用する力を十分に受容することができる。
【００４１】
また、本実施形態の硬化部５１はエルボ流路４６ｅよりも後方側に配置されているため、吐水口４１、４２の配置位置の設計の自由度が阻害されない。従ってシャワーホース４３の取り回しに不具合が生じない。
【００４２】
また、本実施形態の硬化部５１は、上プレート部材５０の長手方向に沿って形成されているため、上プレート部材５０の強度を効果的に増大させることができる。
【００４３】
また、本実施形態の硬化部５１は、水平方向から下方側へ屈曲する第１屈曲部５１ａと、当該第１屈曲部５１ａから水平方向に戻るように屈曲する第２屈曲部５１ｂと、から構成されているが、これらの屈曲部は、折り曲げ加工によって生成され得る。すなわち、当該折り曲げ加工による加工硬化の効果を得ることができる。また、第１屈曲部５１ａが下方側へ屈曲していることにより、水栓装置１全体の厚みが厚くなるということが回避されている。
【００４４】
そして、図１６に示したように、硬化部５１は止水栓７ｂ、７ｅの前端縁よりも後方側に位置しており、すなわち、止水栓７ｂ、７ｅの上方部のデッドスペースに上プレート部材５０の硬化部５１が配置されている。このことは、水栓装置１全体の小型化（省スペース化）に寄与している。
【００４５】
また、大型の要素部材を含む温調機能部７ｇを効果的に収納するべく、上プレート部材５０及び下プレート部材６０に、それぞれ凹部５２、６２が設けられている。これにより、水栓装置１全体の厚みの薄型化が図られている。また、逃がし部５３の存在によって、硬化部５１の加工と凹部５２の加工とが干渉することがないため、上プレート部材５０を容易に製造（成形）することができる。
【００４６】
更に、本実施形態による水栓装置１（吐水装置）は、エルボ流路４６ｅが上プレート部材５０と下プレート部材６０との両方に固定されていることによっても、エルボ流路４６ｅに作用する力を十分に受容することができる。
【００４７】
また、下プレート部材６０に、止水栓７ｂ、７ｅを貫通させるための切欠部６３が設けられているため、止水栓７ｂ，７e及び流路７ｃ、７ｆの配置位置の設計の自由度が阻害されないで、薄型の水栓装置１を実現している。
【００４８】
また、当該切欠部６３は、第１オーバーヘッド吐水部に至る配管８ｂ（オーバーヘッド用流路）と第２オーバーヘッド吐水部に至る配管８ｄ（オーバーヘッド用流路）をも貫通させているため、これらオーバーヘッド用流路が設けられていても、水栓装置１は依然として薄型である。
【００４９】
また、押しボタン機構１０ａ、１０ｂ（操作部）及び吐水口４１、４２が、下プレート部材６０の長手方向に見て、切欠部６３と重複しない位置に配置されていることにより、押しボタン機構１０ａ、１０ｂ（の固定部材）は、操作時の力を十分に受けることができ、吐水口４１、４２は、ウォーターハンマーのような力を十分に受容することができる。
【００５０】
更に、下プレート部材６０は、当該下プレート部材６０の長手方向に見て押しボタン機構１０ａ、１０ｂ（操作部）及び吐水口４１、４２の両外側に、折り曲げ部６５、６６を有しており、押しボタン機構１０ａ、１０ｂの固定部材が、当該折り曲げ部６５、６６に固定されているため、押しボタン機構１０ａ、１０ｂ（の固定部材）は操作時の力をより一層十分に受けることができ、吐水口４１、４２はウォーターハンマーのような力をより一層十分に受容することができる。
【００５１】
また、上プレート部材５０は、平面視において、下プレート部材６０の切欠部６３と重複する位置に切欠部を有していないため、下プレート部材６０の強度が切欠部６３の存在によって不十分となり得る箇所において、上プレート部材５０によって効果的に強度補強することができる。
【符号の説明】
【００５２】
１      水栓装置
２      カバー
７ａ    袋ナット
７ｂ    止水栓（湯）
７ｃ    湯供給管
７ｄ    袋ナット
７ｅ    止水栓（水）
７ｆ    水供給管
７ｇ    温調機能部
７ｈ    流調機能部
８ａ    オーバーヘッド吐水切替部
８ｂ    第１オーバーヘッド吐水部に至る配管
８ｃ    袋ナット
８ｄ    第２オーバーヘッド吐水部に至る配管
８ｅ    袋ナット
９ａ    開閉機構（カラン用）
９ｂ    開閉機構（シャワー用）
１０ａ  押しボタン機構（カラン用）
１０ｂ  押しボタン機構（シャワー用）
３１    第１オーバーヘッド吐水／オーバーヘッド止水／第２オーバーヘッド吐水の切替操作ハンドル
３２    温調ハンドル
３３    流調ハンドル
４０ａ  カラン用流路
４０ｂ  シャワー用流路
４１    カラン用吐水口
４２    シャワー用吐水口
４３    シャワーホース
４４    シャワーヘッド
５０    上プレート部材
５１    硬化部
５１ａ  第１屈曲部
５１ｂ  第２屈曲部
５２    凹部
５３    逃がし部
５４    折り曲げ部
６０    下プレート部材
６２    凹部
６３    切欠部
６４    折り曲げ部
６５    折り曲げ部
６６    折り曲げ部
【図１】
2019112843.tif 000003
【図２】
2019112843.tif 000004
【図３】
2019112843.tif 000005
【図４】
2019112843.tif 000006
【図５】
2019112843.tif 000007
【図６】
2019112843.tif 000008
【図７】
2019112843.tif 000009
【図８】
2019112843.tif 000010
【図９】
2019112843.tif 000011
【図１０】
2019112843.tif 000012
【図１１】
2019112843.tif 000013
【図１２】
2019112843.tif 000014
【図１３】
2019112843.tif 000015
【図１４】
2019112843.tif 000016
【図１５】
2019112843.tif 000017
【図１６】
2019112843.tif 000018